(57)【要約】【課題】  上部が開口された開渠型の側溝類、即ち排水用ブロック、及びその上部開口幅が狭い排水用ブロック内の清掃に好適な側溝等の掃除具を提供する。【解決手段】  棒状体２の下端部に該棒状体２と略直交方向の支軸５によって排土板３をその取付部７を軸着して支持し、前記排土板３が支軸５を回動軸として棒状体２に沿う略垂直状態から棒状体２と所定角度をなす傾斜状態の範囲内で回動可能、且つ、前記略垂直状態で鋤状及び傾斜状態で鍬状を呈してそれぞれ固定可能とした。【選択図】  図１
2005264697.tif 000002
【特許請求の範囲】
【請求項１】
棒状体（２）の下端部に直接又は支持体（９）を介して該棒状体（２）と略直交方向の支軸（５）によって排土板（３）がその取付部（７），（７′）を軸着して支持され、前記排土板（３）が支軸（５）を回動軸として棒状体（２）に沿う略垂直状態から棒状体（２）と所定角度をなす傾斜状態の範囲内で回動可能、且つ、前記略垂直状態で鋤状及び傾斜状態で鍬状を呈してそれぞれ固定可能となされた側溝等の掃除具。
【請求項２】
排土板（３）が偏平箱形状の収納部（３ｃ）とその開口縁部の一部が延設された掻き板部（３ｄ）とからなり、略垂直状態で収納部（３ｃ）の開口部（３ｅ）が上向きとなされ、傾斜状態で前記開口部（３ｅ）が略横向き状となされる請求項１記載の側溝等の掃除具。
【請求項３】
棒状体（２）内に外部から上下動操作可能な可動棒（４）が挿入され、該可動棒（４）の下端部が排土板（３）と一体をなす支軸（５）上側に位置されるか又は、前記可動棒（４）と連設せる摺動棒（１１）の下端部に設けた回転止め（１２）が前記支軸（５）に設けた受止部（１３）上側に位置され、前記可動棒（４）の下動時にその下端部が支軸（５）を押圧するか又は、摺動棒（１１）の回転止め（１２）が支軸（５）の受止部（１３）に嵌合又は係止して排土板（３）が回動阻止されて固定され、上動時に前記押圧或いは嵌合又は係止が開放されて排土板（３）が回動しうるようになされた請求項１又は２記載の側溝等の掃除具。
【請求項４】
棒状体（２）の下端部に、枠形状をなしてその周縁部に沿い袋体（１５）の開口縁部（１５ａ）を装着した排土板（３）がその枠の開口方向を棒状体（２）と交差方向に向けて垂下、固定されるとともに、偏平状をなして前記袋体（１５）を収納した保護容器（１４）が略上下方向に回動可能に取付けられ、前記保護容器（１４）が、略垂直状態でその開口部（１４ａ）を上向きにして排土板（３）に相対してその下側に位置され、略水平又は斜めをなす回動状態でその開口部（１４ａ）を横向きにして排土板（３）の開口方向に相対向するようになされた側溝等の掃除具。
【請求項５】
棒状体（２）の下端部に、枠形状をなす排土板（３）がその枠の開口方向を棒状体（２）と交差方向に向けて垂下、固定されるとともに、袋体（１５）がその開口縁部（１５ａ）を前記排土板（３）の枠形状周縁部に沿って装着して設けられた側溝等の掃除具。
【請求項６】
排土板（３）の周縁部全体又はその一部の形状が、側溝類をなす排水用ブロック（８）の流水断面に略沿うべくなされた請求項１乃至５のいずれかに記載の側溝等の掃除具。
【請求項７】
棒状体（２）の下端部から所定長さ上方位置の外面に棒状体（２）と略直交する横棒（６）が設けられた請求項１乃至６のいずれかに記載の側溝等の掃除具。
【発明の詳細な説明】
【技術分野】
【０００１】  本発明は、側溝等の掃除具に関するものであり、さらに詳しくは、道路等の側溝類をなす上部が広く開口された開渠型の排水用ブロック、及び上部開口部の幅が狭い開渠型の排水用ブロック内の清掃に好適に使用できるとともに、その他の清掃作業にも使用可能な側溝等の掃除具に関するものである。
【背景技術】
【０００２】  従来、道路等の側溝類の清掃、即ち、側溝類をなす排水用ブロック内に地表水とともに流入してその内部に堆積した土砂等の堆積物の除去作業は、上部が開口された開渠型の排水用ブロックにあっては、スコップや鍬等を用い人力により堆積物を掻き寄せたり、掻き取って外部へ搬出し、一方、暗渠型の排水用ブロックにあっては、水を墳出させて堆積物を吹き飛ばす所謂ジェット力を駆使した方法が行われていた。
【発明の開示】
【発明が解決しようとする課題】
【０００３】  しかしながら、側溝類をなす排水用ブロック内の清掃に前記スコップや鍬等を用いる場合は、上部が広く開口されたＵ形溝等の開渠型の排水用ブロックにあっては、それぞれ目的に応じたスコップや鍬等の複数種類の掃除具を準備してこれらを使い分けする必要があって面倒であるとともに、上部開口部の幅が狭い開渠型の排水用ブロックにあっては、開口部の上部からスコップや鍬等を排水用ブロック内に挿入できなかったり、たとえ挿入できても堆積物の掻き寄せや掻き取り作業或いは堆積物の搬出作業が困難で、清掃が容易にできないという問題点があった。一方、排水用ブロック内への落し物も開口部の上部から容易に拾い上げられないという問題点もあった。
又、水を墳出するジェット力による場合は、暗渠型の排水用ブロックにあっては効果的であるが、上部が開口された開渠型の排水用ブロックにあっては、開口部から墳出水及び堆積物が外部に飛散し、非効率的で且つ周囲の環境が悪化するため適用しがたい問題点があった。
本発明はかかる従来の問題点に鑑みてなされたもので、上部が開口された開渠型の側溝類、即ち排水用ブロック、及びその上部開口部の幅が狭い排水用ブロック内の清掃に好適な側溝等の掃除具を提供することを課題としている。
【課題を解決するための手段】
【０００４】  上記課題を解決するため、本発明の側溝等の掃除具は、棒状体２の下端部に直接又は支持体９を介して該棒状体２と略直交方向の支軸５によって排土板３がその取付部７，７′を軸着して支持され、前記排土板３が支軸５を回動軸として棒状体２に沿う略垂直状態から棒状体２と所定角度をなす傾斜状態の範囲内で回動可能、且つ、前記略垂直状態で鋤状及び傾斜状態で鍬状を呈してそれぞれ固定可能となされたものである。【０００５】  又、本発明の側溝等の掃除具は、排土板３が偏平箱形状の収納部３ｃとその開口縁部の一部が延設された掻き板部３ｄとからなり、略垂直状態で収納部３ｃの開口部３ｅが上向きとなされ、傾斜状態で前記開口部３ｅが略横向き状となされる構成を採用することができる。【０００６】  又、本発明の側溝等の掃除具は、棒状体２内に外部から上下動操作可能な可動棒４が挿入され、該可動棒４の下端部が排土板３と一体をなす支軸５上側に位置されるか又は、前記可動棒４と連設せる摺動棒１１の下端部に設けた回転止め１２が前記支軸５に設けた受止部１３上側に位置され、前記可動棒４の下動時にその下端部が支軸５を押圧するか又は、摺動棒１１の回転止め１２が支軸５の受止部１３に嵌合又は係止して排土板３が回動阻止されて固定され、上動時に前記押圧或いは嵌合又は係止が開放されて排土板３が回動しうるようになされた構成を採用することができる。【０００７】  又、本発明の側溝等の掃除具は、棒状体２の下端部に、枠形状をなしてその周縁部に沿い袋体１５の開口縁部１５ａを装着した排土板３がその枠の開口方向を棒状体２と交差方向に向けて垂下、固定されるとともに、偏平状をなして前記袋体１５を収納した保護容器１４が略上下方向に回動可能に取付けられ、前記保護容器１４が、略垂直状態でその開口部１４ａを上向きにして排土板３に相対してその下側に位置され、略水平又は斜めをなす回動状態でその開口部１４ａを横向きにして排土板３の開口方向に相対向するようになされたものである。【０００８】  又、本発明の側溝等の掃除具は、棒状体２の下端部に、枠形状をなす排土板３がその枠の開口方向を棒状体２と交差方向に向けて垂下、固定されるとともに、袋体１５がその開口縁部１５ａを前記排土板３の枠形状周縁部に沿って装着して設けられたものである。【０００９】  又、本発明の側溝等の掃除具は、排土板３の周縁部全体又はその一部の形状が、側溝類をなす排水用ブロック８の流水断面に略沿うべくなされた構成を採用することができる。【００１０】  又、本発明の側溝等の掃除具は、棒状体２の下端部から所定長さ上方位置の外面に棒状体２と略直交する横棒６が設けられた構成を採用することができる。
【発明の効果】
【００１１】  本発明の側溝等の掃除具は、棒状体の下端部に該棒状体と略直交方向の支軸によって排土板が軸着、支持され、前記排土板が支軸を回動軸として棒状体に沿う略垂直状態から棒状体と所定角度をなす傾斜状態の範囲内で回動可能、且つ、前記略垂直状態で鋤状及び傾斜状態で鍬状を呈してそれぞれ固定可能となされているために、例えば側溝類をなす上部が開口された開渠型の排水用ブロック内の清掃に際し、内部の堆積物を掘削又は開砕するべく掃除具に押圧力を加えて使用する場合には、排土板が棒状体に沿う略垂直状態で鋤状を呈するようになし、又、内部の堆積物を掻き寄せたり、掻き取って搬出するべく掃除具を引っ張って使用する場合には、排土板が棒状体と所定角度をなす傾斜状態で鍬状を呈するようになすことで、一の掃除具によって必要に応じて所謂鋤と鍬の兼用的な使用ができるとともに、その他の清掃作業等においても同様に鋤と鍬の兼用的な使用ができ、利便性が極めてよい。
又、運搬、保管等の不使用時においては、排土板が棒状体に沿う略垂直状態で鋤状を呈するようにしておくことにより、排土板が嵩張らずその取扱いが容易にできるとともに、保管スペースも少なくてすむ。【００１２】  又、本発明の側溝等の掃除具は、排土板が偏平箱形状の収納部とその開口縁部の一部が延設された掻き板部とからなり、略垂直状態で収納部の開口部が上向きとなされ、傾斜状態で前記開口部が略横向き状となされるために、側溝類をなす上部が開口された開渠型の排水用ブロック内の清掃に際し、その内部で排土板が棒状体と所定角度をなす傾斜状態で鍬状を呈するようになし、掃除具を引っ張って使用することで掻き板部によって掻き取った堆積物を収納部内に略自動的に収集でき、堆積物の搬出時に棒状体を引き上げると、排土板が内在せる収集物の重量に助勢されて略垂直状態となされることで、その開口部を上向きにして収納部内の収集物をこぼすことなく掃除具と共に排水用ブロック外へ容易に搬出できるとともに、その他の清掃作業等においても同様の使用が行える。
更に、排水用ブロック内への落し物も、前記と同様にして収納部内に収納して容易に拾い上げることができる。【００１３】  又、本発明の側溝等の掃除具は、棒状体内に外部から上下動操作可能な可動棒が挿入され、該可動棒の下端部が排土板と一体をなす支軸上側に位置されるか又は、前記可動棒と連設せる摺動棒の下端部に設けた回転止めが前記支軸に設けた受止部上側に位置され、前記可動棒の下動時にその下端部が支軸を押圧するか又は、摺動棒の回転止めが支軸の受止部に嵌合又は係止して排土板が回動阻止されて固定され、上動時に前記押圧或いは嵌合又は係止が開放されて排土板が回動しうるようになされているために、側溝類をなす上部開口幅が狭い開渠型の排水用ブロック内の清掃に際し、可動棒を外部から操作して上下動させ、排土板が棒状体に沿う略垂直状態で鋤状を呈するように固定されることで、排土板を排水用ブロックの任意箇所の上部から狭い開口部を介して棒状体とともに排水用ブロック内に容易、且つ支障なく出入できるとともに、かかる排土板で内部の堆積物を掘削又は開砕できたり、或いは排土板の収納部内に掻き集めて収納した堆積物をこぼすことなく容易に搬出でき、又、排水用ブロック内に挿入した排土板が棒状体と所定角度をなす傾斜状態で鍬状を呈するように固定されることで、内部の堆積物を掻き寄せたり、掻き取ったり、或いは収納部内に掻き集めることができる。
即ち、上部開口幅が狭い開渠型の側溝類の清掃が、開口部の任意箇所の上部から容易、且つ効率的に行うことができる。【００１４】  更に、上下動する可動棒が棒状体に内蔵されているために、可動棒が裸出することなく保護されて前記出入時の損傷や堆積物の付着等による動作不良が生じにくく、又、可動棒の下端部が排土板と一体をなす支軸を直接押圧するか又は、連動する摺動棒の下端部に設けた回転止めが前記支軸に設けた受止部に嵌合又は係止して排土板が固定されるために、排土板の不意な回動が阻止されて使用目的に応じた状態で確実な固定が行えるとともに、可動棒の簡単な上下動操作によって排土板を容易に回動又は固定状態にでき、使い勝手がよい。【００１５】  又、本発明の側溝等の掃除具は、棒状体の下端部に、枠形状でその周縁部に沿って袋体の開口縁部を装着した排土板がその枠の開口方向を棒状体と交差方向に向けて垂下、固定されるとともに、偏平状をなして前記袋体を収納した保護容器が略上下方向に回動可能に取付けられ、前記保護容器が、略垂直状態でその開口部を上向きにして排土板に相対してその下側に位置され、略水平又は斜めをなす回動状態でその開口部を横向きにして排土板の開口方向に相対向するようになされるために、側溝類をなす上部開口幅が狭い開渠型の排水用ブロック内の清掃に際し、偏平状の保護容器を略垂直状態にして排土板下に吊下げ、排土板及び保護容器を排水用ブロックの任意箇所の上部から狭い開口部に沿って棒状体と共に排水用ブロック内に容易、且つ支障なく出入できるとともに、棒状体を斜めに押し下げて排水用ブロック内で保護容器を略水平又は斜め状態に回動させ、枠形状の排土板で内部の堆積物を掻き取り且つ保護容器内の袋体内に導いて収集でき、堆積物の搬出時には棒状体を引き上げるだけで前記保護容器が、内在せる収集物の重量に助勢されて確実に略垂直状態になされるとともに、内包せる袋体の過度又は不規則な膨らみを防止することで、前記収集物をこぼすことなく掃除具と共に排水用ブロック外へスムーズ且つ容易に搬出できる。
即ち、上部開口幅が狭い開渠型の側溝類の清掃が、内部の堆積物の搬出も含めて開口部の任意箇所の上部から容易、且つ効率的に行うことができるとともに、その他の清掃作業等においても同様の使用が行える。更に、前記側溝内への落し物も、前記と同様にして開口部の上部から容易に拾い上げることができる。【００１６】  又、本発明の側溝等の掃除具は、棒状体の下端部に、枠形状をなす排土板がその枠の開口方向を棒状体と交差方向に向けて垂下、固定され、袋体がその開口縁部を前記排土板の枠形状周縁部に沿って装着して設けられているために、上部開口幅が狭い開渠型の排水用ブロック内の清掃に際し、排土板を排水用ブロックの任意箇所の上部から開口部に沿わせて袋体及び棒状体と共に排水用ブロック内に容易に出入できるとともに、排水用ブロック内で排土板で内部の堆積物を掻き取りつつ袋体内に導いて収集でき、堆積物の搬出時には棒状体を引き上げれば、前記袋体が内在せる収集物の重量に助勢されて自然に略垂直状態に吊下されることで、前記収集物をこぼすことなく掃除具と共に排水用ブロック外へ容易に搬出できる。
即ち、上部開口幅が狭い開渠型の側溝類の清掃が、内部の堆積物の搬出も含めて開口部の任意箇所の上部から容易、且つ効率的に行え、又、その他の清掃作業等においても同様の使用が行える。更に、前記側溝内への落し物も、前記と同様にして開口部の上部から容易に拾い上げることができる。【００１７】  又、本発明の側溝等の掃除具は、排土板の周縁部全体又はその一部の形状が、側溝類をなす排水用ブロックの流水断面に略沿うべくなされているために、排土板の周縁部又はその一部が排水用ブロック内の排水路縁と相接して摺動し、排水路にある堆積物を殆ど残存させることなく容易に掻き寄せたり、掻き取ることができ、又、収納部内或いは袋体内に的確に導いて効率よく清掃できる。【００１８】  又、本発明の側溝等の掃除具は、棒状体の下端部から所定長さ上方位置の外面に棒状体と略直交する横棒が設けられているために、横棒に足を掛けて排土板に押圧力を加えることで除去すべき堆積物等を掘削又は開砕しやすくし、又、横棒を把手として堆積物等を掻き寄せたり、掻き取ったりする際に引っ張りやすくし、或いは上部開口幅が狭い開渠型の側溝類の清掃時に棒状体を誤って倒しても、横棒が側溝類の開口縁部上側に引っ掛かり、棒状体が側溝類の内部に嵌まり込んで掃除具を外部から取り出せないといった不祥事が生じることがない。
【発明を実施するための最良の形態】
【００１９】  以下、図面を参照しながら本発明の実施の形態について説明する。
図１乃至図４は本発明の掃除具の一実施の形態を示し、１は本実施形態の掃除具であって、起立せる棒状体２の下端部に排土板３が略上下方向に回動可能に軸着された基本構成を有するものである。
前記棒状体２は、図１及び図２に示すように、下部の中空パイプ状をなす本体棒２ａと上部の把手棒２ｂとからなり、本体棒２ａはその下端部に排土板３を軸着する支軸５が本体棒２ａと略直交して貫通、横架され、内部に長さ（上下）方向に沿って可動棒４がその下端部を支軸５の上側に位置させて挿入されるとともに、図２（ロ）に示す如く、可動棒４の上端部が把手棒２ｂに接続一体化され、本体棒２ａの上端部と把手棒２ｂの下端部とが互いにそのねじ部２ｃを螺合させて接続されている。尚、本体棒２ａ、把手棒２ｂ及び可動棒４は、それぞれ断面円形状となされているが、他の断面形状であってもよい。【００２０】  即ち、前記棒状体２は、本体棒２ａと把手棒２ｂとの螺合度合いによって、本体棒２ａ内の可動棒４を上下動操作可能として、可動棒４の下端部が支軸５に接離して支軸５を押圧又は開放する構造となされている。
又、図１に示すように、本体棒２ａの下端部から所定長さ上方位置の外面に、本体棒２ａと略直交する断面円形状の横棒６が支軸５と略平行に一体的に設けられている。該横棒６は後述するように、掃除具１を鋤状を呈するようにして使用する場合に、排水用ブロック８の上部で足掛け用として排土板３に押圧力を付与したり、鍬状を呈するようにして使用する場合に、把手等として掃除具１を引っ張りやすくしたりするものである。
尚、横棒６は前記の如く支軸５と略平行となされていると、排土板３に効果的に押圧力及び引張力を付与でき好ましいが、必ずしも支軸５と略平行となされていなくともよいし、その断面も適宜形状であってもよい。【００２１】  又、前記排土板３は、その周縁部の形状が側溝類をなす排水用ブロック８の流水断面に略沿うべく、例えば図１に示すような変形状の長円形状となされ、そのやや凹湾曲した板面３ａの中央より離隔した位置、即ちその重心よりやや下方位置に設けた取付部７を支軸５により軸着して、本体棒２ａの下端部に回動可能に支持されている。
詳しくは、図３に示すように、前記取付部７は、鉤形に屈曲した起立片７ａが一対略水平方向に離隔して板面３ａ上に一体的に設けられてなり、該起立片７ａ間に本体棒２ａの断面略コ形状となされた下端部が嵌め込まれるとともに、本体棒２ａを貫通して横架した支軸５の両端部が起立片７ａに挿通されて固着されている。更に、断面円形状の支軸５の略中央部には断面四角形状の受部５ａが設けられ、図３（ロ）乃至（ニ）に示すように、該受部５ａが排土板３の板面３ａ側に延出されて板面３ａに接続一体化されている。尚、前記受部５ａは必ずしも延出されて排土板３の板面３ａに接続されていなくともよい。【００２２】  即ち、排土板３は支軸５を回動軸とし、起立片７ａに支持されて支軸５とともに回動可能となされており、該排土板３の回動のために、図３及び図４に示す如く、本体棒２ａの下端部は断面略コ形状でその板面３ａ側の一側面が開口され、下端面２ｄが水平方向に対してやや傾斜状となされるとともに、前記開口側で弧状面をなし、排土板３の板面３ａが本体棒２ａに沿う略垂直状態から、前記傾斜状の下端面２ｄに当接する傾斜状態までの所定角度、例えば本体棒２ａとの交差角度αが７０〜８０度程度の鋭角をなす傾斜状態まで回動可能となされている。【００２３】  しかして、前記排土板３の回動及び固定は、前記可動棒４を外部から上下動操作することにより、可動棒４の下端部が支軸５を押圧又は開放して行われるものであって、以下その機構について説明する。
まず、掃除具１を図１に示す如く、鋤状を呈するようにして排士板３を固定するには、排土板３を棒状体２（本体棒２ａ）に沿う略垂直状態とし、本体棒２ａに対して把手棒２ｂを回転させてねじ部２ｃを締付けることにより、図３（イ）乃至（ニ）に示すように、可動棒４が下動し、その下端面４ａが支軸５の略中央部に設けられた受部５ａの排土板３と直交せる平面状当接面５ｂに当接して該所を押圧し、排土板３の回動が阻止されて固定される。【００２４】  又、排土板３を回動状態とするには、本体棒２ａに対して把手棒２ｂを反転させてねじ部２ｃを緩めることにより、可動棒４が上動して前記当接、押圧が開放されて排土板３が回動可能となる。本実施形態では、排土板３をその重心より下方位置で軸着していることから、図４（イ）に示す回動途中の状態を経て図４（ロ）に示すように、排土板３がその自重により自動的に下方へ回動して前記略垂直状態から棒状体２と所定角度をなす傾斜状態となる。
この傾斜状態、即ち、排土板３の板面３ａが本体棒２ａの下端面２ｄに当接されて、掃除具１が鍬状を呈する状態で排土板３を固定するには、前記と同様にして把手棒２ｂを回転させて（ねじ部２ｃを締付ける）可動棒４を下動させればよく、この場合には、図４（ハ）に示すように、可動棒４の下端面４ａが支軸５の略中央部に設けられた受部５ａの前記当接面５ｂと隣接し、排土板３と対面せる平面状当接面５ｃに当接して該所を押圧し、排土板３の回動が阻止されて固定される。
又、排土板３を再び回動状態とするには、前記と同様に把手棒２ｂを反転させて（ねじ部２ｃを緩める）可動棒４を上動させ、前記押圧を開放すればよい。【００２５】  次に、本実施形態の掃除具１により、側溝類をなす上部開口部８ａの幅が狭くなされて、その長さ方向に延設された開渠型の排水用ブロック８内の清掃を行う場合について説明する。
まず、掃除具１を、図１に示すように、鋤状を呈する如く排土板３を棒状体２に沿う略垂直状態として前記のようにして固定し、図５に示すように、排水用ブロック８の任意の箇所において、排土板３の幅方向を排水用ブロック８の開口部８ａの長さ方向に沿わせて該開口部８ａから棒状体２とともに内部の排水路８ｂに挿入する。この状態、又は適宜棒状体２全体を回転させて排土板３の幅方向を排水路８ｂの長さ方向と交差するように位置させた状態（破線で示す）で、必要に応じて適宜横棒６に足を掛けて排土板３を押圧することにより、排水路８ｂ内の堆積物を掘削又は開砕することができる。【００２６】  又、図６（イ）及び（ロ）に示す如く、排土板３を排水路８ｂ内に挿入した状態（図５に破線で示す状態）のまま、前記したように可動棒４を上下動操作することにより、その固定を開放して排土板３を回動させた後、鍬状を呈する如く棒状体２と所定角度をなす傾斜状態となして固定し、掃除具１を垂直状から斜めに倒して把手棒２ｂを把持するとともに、必要に応じて適宜横棒６を把持して鍬状として使用することにより、排水路８ｂ内の堆積物を掻き寄せたり、掻き取ったりして、排水用ブロック８に接続された集水マス等に搬出できる。
又、清掃後は、前記したように可動棒４を上下動操作することにより、その固定を再び開放し、排土板３を排水路８ｂの内壁に適宜押圧する等して回動させ、掃除具１が元の鋤状を呈する如く前記排土板３を棒状体２に沿う略垂直状態として固定し、挿入時とは逆に排土板３を排水用ブロック８の任意箇所の開口部８ａから取り出せばよい。
又、上記掃除具１は、上記以外にも、上部開口部の幅が広い開渠型の排水用ブロック内の清掃や、その他の清掃作業等においても、必要に応じて鋤状を呈する如く排土板３を棒状体２に沿う略垂直状態、又は鍬状を呈する如く排土板３を棒状体２と所定角度をなす傾斜状態として固定して汎用的に使用できる。【００２７】  尚、本実施形態では、可動棒４を上下動操作するために、棒状体２が本体棒２ａと把手棒２ｂに分割されて螺合されているが、これに限定されることなく、例えば可動棒４を把手棒２ｂに接続せずにその上端部等に突設した操作レバーを棒状体２の外部に突出させ、該操作レバーを上下動可能及び上動時と下動時で棒状体２に係止可能とすることにより、可動棒４を上下動操作してもよい。
又、後述の実施形態で詳述するように、可動棒４の上端部を伸縮ばねを介して棒状体２内に支持し、可動棒４に突設した操作レバーを棒状体２の外部に突出させ、伸縮ばねの反発弾性力に抗して操作レバーを上動可能、伸縮ばねの反発弾性力によって下動可能とすることで、可動棒４を上下動操作してもよい。
又、これらの場合には、棒状体２は必ずしも上下に分断される必要はなく、いずれにしても可動棒４が棒状体２の外部から上下動操作できればよく、そのために上記以外にも適宜種々の構造や機構が採用されればよい。【００２８】  又、本実施形態では、可動棒４の下端部が支軸５の当接面と面接触し、相互の押圧により排土板３の回動が阻止されて固定されるようになされているが、これに限定されることなく、例えば可動棒４の下端部が支軸５と線又は点接触して押圧作用が生じるようにしてもよい。
又、図７（イ）に示す如く、可動棒４の下動時にその下端部に突設した当接部４ｂの先端が、略垂直状態をなす排土板３の板面３ａに当接されて排土板３が鋤状に固定されるとともに、図７（ニ）に示す如く、傾斜状態に回動した排土板３に対して、可動棒４の下動時にその当接部４ｂの下面が、排土板３の板面３ａに当接されて排土板３が鍬状に固定されてもよい。尚、この場合には、排土板３の略重心部が本体棒２ａに軸着されるとともに、支軸５が中央部で分断され両側の起立片７ａにそれぞれ軸支されており、図７（ロ）に示す如く、同図（イ）の状態から可動棒４の上動途中で当接部４ｂの先端が板面３ａより略台形状に隆起せる当接片３ｂの斜面を摺動、押圧することで、排土板３が図７（ハ）に示す如く傾倒、回動するようになされている。【００２９】  或いは又、可動棒４が支軸５を押圧せずに、可動棒４の下端部と排土板３とが適宜長さのワイヤー等で連結され、可動棒４の上動時、下動時にワイヤー等が伸縮して排土板３が略垂直状態又は傾斜状態で固定されてもよい。
更には、後述する実施形態で詳述するように、棒状体２の下端部に連設した支持体に排土板３の両側部がそれぞれ支軸５により軸着され、可動棒４の下端部に連設されるとともに前記支持体に上下摺動可能に横架された摺動体の両端部の回転止めが、各支軸５に設けた受止部に嵌合や係止可能となされ、可動棒４の上下動に連動して摺動体両側部の回転止めが上下動し、その下動時に各支軸５の受止部に嵌合や係止して排土板３が略垂直状態又は傾斜状態で固定されてもよい。【００３０】  図８及び図９は本発明の掃除具の他の実施の形態を示し、本実施形態の掃除具１は、図８に示すように、起立状の棒状体２の下端部に支持体９を介して、偏平箱形状の収納部３ｃを備えた排土板３が略上下方向に回動可能に軸着された基本構成を有するものである。
前記棒状体２は中空パイプ状となされ、排土板３の回動を操作するために、内部に長さ（上下）方向に沿って可動棒４が挿入されている。尚、該可動棒４は図８（ハ）に示す如く、排土板３を略垂直状に保持する都合上、棒状体２に対して傾斜状をなして挿入されているが、これに限定されず、排土板３の形状等によっては棒状体２と平行に挿入されてもよい。【００３１】  該可動棒４は、図８（ハ）及び（ニ）に示すように、その上端部が棒状体２内に固定した隔壁部２ｅを貫通し、前記上端部から所定長さ下側位置に略水平状に突設された操作レバー４ｃが、棒状体２の両側面に設けた縦長状の開口窓２ｆから外部に突出され、前記隔壁部２ｅと操作レバー４ｃ間で可動棒４に外挿されたコイル状の伸縮ばね１０の反発弾性力によって操作レバー４ｃを介して可動棒４が下方に押圧されるとともに、操作レバー４ｃが前記開口窓２ｆの下縁に当接、係止されている。
又、図８（イ）及び（ロ）に示すように、前記棒状体２の下端部に逆Ｕ形状に屈曲された帯板状の支持体９が接続一体化されて二股状を呈し、前記可動棒４の下端部に接続一体化された横長状の摺動棒１１が、前記支持体９の相対向する両下端部間に横架され、例えば図９（ロ）に示すように、支持体９の前記両下端部に設けた縦長のガイド孔９ａに上下摺動可能に挿通、支持され、該摺動棒１１の前記ガイド孔９ａを貫通した両端部にそれぞれ後述する回転止め１２が連設垂下されている。【００３２】  又、前記排土板３は、偏平箱形状の収納部３ｃとその開口縁部の一部が延設された掻き板部３ｄとからなり、詳しくは、図８（イ）及び（ハ）に示すように、横截断面を偏平長方形状となす収納箱３ｃの横幅方向の一長辺側開口縁部を除く他の開口縁部の略全体が延出されて舌片状の掻き板部３ｄが形成され、該掻き板部３ｄの延出端部が斜めに屈曲されるとともに、その周縁部の形状が側溝類をなす排水用ブロック８の流水断面に略沿うべく湾曲状となされている。
該排土板３は、図８（イ）及び（ハ）や図９（ロ）に示す如く、収納部３ｃの横幅方向両側部でその重心よりやや下方位置を取付部７′として、棒状体２と略直交方向の支軸５により、棒状体２下端部で二股状を呈する支持体９の相対向する両下端部に回動可能に軸着され、排土板３と一体化された支軸５を回動軸として、図９（イ）に示す如き棒状体２に沿う略垂直状態で収納部３ｃの開口部３ｅが上向き状、図９（ヘ）に示す如き棒状体２と所定角度をなす傾斜状態で前記開口部３ｅが略横向き状をなすようになされている。即ち、排土板３はその自重によって自動的に傾斜状態に回動すべくなされている。【００３３】  尚、排土板３の回動範囲を規制するために、図８（イ）及び（ハ）や図９に示すように、支持体９の相対向する両下端部間に横長状の止棒９ｂが横架され、該止棒９ｂが排土板３の前記傾斜状態で当り止めをなし、図９（イ）に示す排土板３が略垂直状態から図９（ヘ）に示す所定の傾斜状態まで回動可能となされている。この支持体９との交差角度αは、図９に示す場合には８０度余の鋭角となされているが、これに限定されず、使用に適した適宜角度となされればよい。
又、前記排土板３の回動を固定するために、図８（イ）及び（ロ）に示すように、前記支持体９の両下端外側で、各支軸５に一体的に設けた後述する受止部１３が、摺動棒１１に連設垂下した前記回転止め１２の下側に位置され、回転止め１２が受止部１３に嵌合可能となされている。
詳しくは、図９に示すように、前記回転止め１２は板片状となされてその下端部に嵌合凹部１２ａが設けられ、一方、受止部１３は板片状となされてその周縁部に前記嵌合凹部１２ａに嵌合可能な２個の嵌合凸部１３ａ，１３ａ′が所定間隔をおいて設けられ、以下で説明するように、排土板３が棒状体２に沿う略垂直状態で嵌合凹部１２ａが一方の嵌合凸部１３ａと嵌合し、棒状体２と所定角度をなす傾斜状態で他方の嵌合凸部１３ａ′と嵌合可能となされている。【００３４】  即ち、前記排土板３の回動及び固定は、前記可動棒４を外部から上下動操作することにより、図９に示すように、可動棒４の下端部に摺動棒１１を介して連設した回転止め１２が、排土板３と一体化した支軸５の受止部１３に嵌合又は嵌合開放して行われるものであって、以下その機構について説明する。
本実施形態では、棒状体２内に内蔵した伸縮ばね１０によって可動棒４が下方に押圧されて下動した状態で、図９（イ）及び（ロ）に示すように、排土板３が棒状体２に沿う略垂直状態をなし、可動棒４に接続した摺動棒１１の回転止め１２の嵌合凹部１２ａが、支軸５の受止部１３の嵌合凸部１３ａに嵌合されることにより、排土板３の回動が阻止されて固定され、掃除具１が鋤状を呈するようになされている。【００３５】  又、排土板３を回動状態とするには、操作レバー４ｃを伸縮ばね１０の反発弾性力に抗して引き上げることにより、可動棒４が上動し、これに伴って摺動棒１１が支持体９のガイド孔９ａに沿って上方に摺動して回転止め１２が上動し、前記嵌合凹部１２ａと嵌合凸部１３ａの嵌合が開放されて排土板３が回動状態となる。
続いて図９（ハ）乃至（ホ）に示す如く、排土板３が棒状体２と所定角度をなす傾斜状態まで回動後、即ち、掃除具１が鍬状を呈する状態で排土板３を固定するには、引き上げた操作レバー４ｃを放すことにより伸縮ばね１０の反発弾性力によって可動棒４が下動し、図９（ヘ）及び（ト）に示す如く、該可動棒４の動作に伴い摺動棒１１が支持体９のガイド孔９ａに沿って下方に摺動して回転止め１２が下動し、回転止め１２の嵌合凹部１２ａが支軸５の受止部１３の他の嵌合凸部１３ａ′に嵌合されることにより、排土板３の回動が阻止されて固定され、掃除具１が鍬状を呈するようになされる。
又、排土板３を再び回動状態とするには、前記と同様に操作レバー４ｃを引き上げて可動棒４を上動させ、前記嵌合凹部１２ａと嵌合凸部１３ａ′の嵌合を開放すればよい。【００３６】  次に、本実施形態の掃除具１により、前記実施形態と同様の上部開口部８ａの幅が狭い開渠型の排水用ブロック８内の清掃を行う場合について説明する。
まず、掃除具１を、図８（イ）及び（ロ）に示す如く、鋤状を呈する如く排土板３を棒状体２に沿う略垂直状態で収納部３ｃの開口部３ｅが上向き状をなすべく前記のように固定し、図１０に示す如く、排水用ブロック８の任意の箇所において、排土板３の横幅方向を排水用ブロック８の開口部８ａの長さ方向に沿わせて該開口部８ａから棒状体２とともに内部の排水路８ｂに挿入する。
次いで、適宜棒状体２全体を回転させて排土板３の横幅方向を排水路８ｂの長さ方向と交差するように位置させた状態（図１０の破線で示す）とし、前記したように可動棒４を上下動操作することにより、その固定を開放して排土板３を回動させた後、図９（ヘ）及び（ト）に示す如く、鍬状を呈する如く棒状体２と所定角度をなす傾斜状態となして固定し、図１１（イ）及び（ロ）に示す如く、掃除具１を垂直状から斜めに倒して棒状体２を把持するとともに、鍬状として使用することにより、排土板３の掻き板部３ｄにより排水路８ｂ内の堆積物を掻き取って、その収納部３ｃに収集する。【００３７】  次いで、収納部３ｃ内に掻き集めた堆積物の搬出に際しては、前記したように可動棒４を上下動操作することにより、排土板３の固定を再び開放し、排土板３を排水路８ｂの内壁に適宜押圧したり、その収納部３ｃ内に収集された堆積物を錘代わりにする等して回動させ、掃除具１が元の鋤状を呈する如く前記排土板３を棒状体２に沿う略垂直状態として固定するとともに、挿入時とは逆に排土板３を排水用ブロック８の任意箇所の開口部８ａから外部に取り出し、排土板３の固定を再び開放することで、回動状態となる収納部３ｃから収集物を排出すればよい。
又、本実施形態の掃除具１は、上記以外にも、上部開口部の幅が広い開渠型の排水用ブロック内の清掃や、その他の清掃作業等においても、上記と同様にして汎用的に使用することができ、更に、排水用ブロック８内へ落し物をした際の拾い上げ時にも、上記と同様にして使用することができる。【００３８】  尚、本実施形態では、排土板３を固定するために、可動棒４に連結した回転止め１２に嵌合凹部１２ａが設けられ、排土板３と一体化した支軸５の受止部１３に嵌合凸部１３ａ，１３ａ′が設けられているが、これと反対に回転止め１２に嵌合凸部、受止部１３に嵌合凹部が設けられてもよく、要するに回転止め１２及び受止部１３は互いに嵌合や係止可能となされておればよく、その構造は上記のものに限定されず、種々の構造となされればよい。
例えば、図１２に示すように、可動棒４に連結した前記回転止め１２が略垂直ピン状をなし、排土板３と一体化した支軸５の円板状の受止部１３に、支軸５と略直交方向の２個の嵌挿孔１３ｂ，１３ｂ′が異なる２方向から交差して貫通され、可動棒４の上下動操作により回転止め１２が前記嵌挿孔１３ｂ，１３ｂ′のいずれか一に嵌挿可能となされてもよい。
即ち、前記排土板３が、図１２（イ）乃至（ニ）に示す如き略垂直状態、又、同図（ホ）に示す回動傾斜状態を経て同図（ヘ）に示す如き傾斜状態で、それぞれ可動棒４（摺動棒１１）の下動に伴い、ピン状の回転止め１２が受止部１３の各嵌挿孔１３ｂ，１３ｂ′に嵌合すべく挿入されることによってその回動が阻止され、前記排土板３が固定されてもよい。尚、図１２に示す掃除具１は、前記図８に示すものと構成部材の形状が若干異なるものの基本的な構造は同様であり、前記と同じ各符号は前記と同様のものを示す。【００３９】  又、図１３に示すように、前記回転止め１２が略垂直ピン状をなし、板片状の受止部１３の外面に係止段部１３ｃを形成すべく膨出部１３ｄが設けられ、該膨出部１３ｄに係止段部１３ｃと交差方向に嵌挿孔１３ｂが貫通され、回転止め１２が前記係止段部１３ｃに係止可能或いは前記嵌挿孔１３ｂに嵌挿可能となされてもよい。
即ち、図１３（イ）乃至（ハ）に示すように、排土板３が略垂直状態で、摺動棒１１の下動時におけるピン状の回転止め１２側面が、受止部１３の係止段部１３ｃに沿って係止状態となり、又、同図（ニ）に示す回動傾斜状態を経て同図（ホ）に示すように、排土板３が傾斜状態で、摺動棒１１の下動時におけるピン状の回転止め１２が受止部１３の嵌挿孔１３ｂに嵌合すべく挿入されることにより、それぞれ排土板３が回動阻止されて固定されてもよい。【００４０】  又、図１４に示すように、前記回転止め１２が略逆凹形状の板片をなし、受止部１３が略平行四辺形状の塊状となされて回転止め１２の凹部内に回転不能に嵌合可能となされてもよい。
即ち、排土板３が、図１４（イ）及び（ロ）に示す如き略垂直状態、又、同図（ハ）に示す回動傾斜状態を経て同図（ニ）に示す如き傾斜状態で、それぞれ摺動棒１１の下動に伴い回転止め１２が受止部１３に外嵌されることで前記排土板３が回動阻止されて固定されてもよい。
尚、前記図１３及び図１４においては、回転止め１２及び受止部１３を除く他の部分は前記図１２（イ）及び（ロ）に示す掃除具１と基本的に同様であって、前記と同じ各符号は前記と同様のものを示す。【００４１】  又、排土板３の固定に関して、前記図１乃至図４に示す実施形態と同様にして、棒状体２の下端部に直接収納部３ｃを有する排土板３が支軸５により軸着され、棒状体２の下端部が支軸５を押圧するような構造が採用されてもよい。
尚又、本実施形態では、可動棒４が棒状体２内に内蔵した伸縮ばね１０の反発弾性力を利用して操作レバー４ｃの操作で上下動するようになされているが、これに限定されることなく、例えば前記実施形態と同様に棒状体２が上下に分割されて螺合され、螺合度合いによって可動棒４が上下動するような構造となされてもよいし、要するに可動棒４が棒状体２の外部から上下動操作できればよく、そのために上記以外にも適宜種々の構造や機構が採用されればよい。
又、棒状体２の外面に前記実施形態と同様に把手等として使用する横棒が設けられてもよい。【００４２】  図１５は本発明の掃除具の他の実施の形態を示し、本実施形態の掃除具１は、起立状の棒状体２の下端部に、枠形状をなす排土板３がその枠の開口方向を棒状体２と交差方向に向けて垂下、固定されるとともに、該排土板３に相対する偏平状をなす保護容器１４が略上下方向に回動可能に取付けられた基本構成を有するものである。
前記排土板３は、その下側周縁部の枠形状が排水用ブロック８の流水断面に略沿うべく、例えば図１５（イ）に示す如き円弧状となされ、その開口部３ｆが横長状をなす内枠部３ｇと、該内枠部３ｇの外周に沿いこれを囲繞して保持する全体が略凸形状をなす外枠部３ｈとからなる二重枠構造を有している。即ち、図１５（イ）及び（ホ）に示すように、外枠部３ｈの略中央上部の膨出した取付固定部３ｉの上端部が棒状体２の下端部に固定され、前記取付固定部３ｉの相対する両側部がボルト１６により締付けられることにより、外枠部３ｈの内側に内枠部３ｇが保持され、又、図１５（ロ）に示すように、側面視において棒状体２の長さ方向に沿うべくなされている。【００４３】  又、前記保護容器１４は、図１５（イ）、（ロ）及び（ホ）に示す如く、略垂直状態でその開口部１４ａを上向きにして排土板３に相対しその下側に位置され、その上端部が蝶番１７により棒状体２の下端部にヒンジ結合されることにより蝶番１７を介して回動可能に吊下げられ、同図（ハ）に示す如く、略水平状（略水平に近い斜め状でも可）に回動した状態で、前記開口部１４ａを横向きにして排土板３の枠の開口方向に相対向するようになされている。又、図１５（ニ）に示す如く、前記略水平状態で保護容器１４の下側となる面は、排水用ブロック８の流水断面に略沿うべく、適宜湾曲面等となされている。
又、前記保護容器１４内には袋体１５が収納され、該袋体１５の開口縁部１５ａが前記排土板３の内枠部３ｇと外枠部３ｈとの間に挟着され、袋体１５が排土板３の枠内で開口するようにしている。該袋体１５は、通気性、通水性、耐水性や強度等を有する適宜各種材質のものであればよく、とくに限定されないし、破損や汚損等した場合には適宜取り替えられればよい。【００４４】  次に、本実施形態の掃除具１により、前記実施形態と同様の上部開口部８ａの幅が狭い開渠型の排水用ブロック８内の清掃を行う場合について説明する。
まず、掃除具１を、図１５（イ）及び（ロ）に示すように、保護容器１４を排土板３の下側で略垂直状態、即ち、側面視において保護容器１４及び排土板３が棒状体２の長さ方向に沿うべくなして恰も鋤状態とし、排水用ブロック８の任意の箇所において、排土板３及び保護容器１４の幅方向を排水用ブロック８の開口部８ａの長さ方向に沿わせて該開口部８ａから棒状体２とともに内部の排水路８ｂに挿入する。
次いで、適宜棒状体２全体を回転させて排土板３及び保護容器１４の幅方向を排水路８ｂの長さ方向と交差するように位置させ、図１６（イ）及び（ロ）に示す如く、棒状体２を斜め下方に下げ保護容器１４を排水路８ｂの底面に沿うべく該底面に当接して回動させ、掃除具１を垂直状から斜めに倒して棒状体２を把持し、略鍬状として引っ張ることにより、排土板３により排水路８ｂ内の堆積物を掻き取るとともに、保護容器１４内の袋体１５内に導いて収集する。【００４５】  次いで、袋体１５内に掻き集めた堆積物の搬出に際しては、棒状体２を持ち上げることにより、保護容器１４を回動させて元の略垂直状態とし、挿入時とは逆に排土板３及び保護容器１４を排水用ブロック８の任意箇所の開口部８ａから取り出せばよい。この時、保護容器１４は、内在せる堆積物の重量に助勢されて自然に略垂直状態となされ、又、堆積物を収納した袋体１５の外形は、保護容器１４によって規制されるために、過度又は不規則な膨らみが生じず狭い開口部８ａから確実且つ容易に取り出せるものである。
又、本実施形態の掃除具１は、上記以外にも、上部開口部の幅が広い開渠型の排水用ブロック内の清掃や、その他の清掃作業等においても、上記と同様にして汎用的に使用することができ、更に、排水用ブロック８内へ落し物をした際の拾い上げ時にも、上記と同様にして使用することができる。
尚、前記排土板３は必ずしも二重枠構造でなくともよく、袋体１５の開口縁部１５ａが装着可能な枠形状であればよいし、保護容器１４も図示する如き箱状に限定されず、枠状、網状等の他内包せる袋体１５の外形を矯正し得るものであればよい。又、棒状体２の外面に前記実施形態と同様に把手等として使用する横棒を設けてもよい。【００４６】  図１７は本発明の掃除具の他の実施の形態を示し、本実施形態の掃除具１は、図１５に示す実施形態の変形例であって、保護容器１４及びその取付用蝶番１７を外した点のみが異なる他は前記実施形態と同様のものであって、各符号は前記と同様のものを示し、その説明は前記のものを援用する。
又、本実施形態の掃除具１による上部開口部８ａの幅が狭い開渠型の排水用ブロック８内の清掃については、前記実施形態において保護容器１４に関する記載がないものとして行えばよく、結局、排水用ブロック８内で図１７（ハ）に示す如く、掃除具１を略鍬状として引っ張ることにより、排土板３により排水路８ｂ内の堆積物を掻き取りつつ袋体１５内に導いて収集後、挿入時とは逆に排土板３及び該排土板３下で略垂直状態に吊下される袋体１５を排水用ブロック８の任意箇所の開口部８ａに沿わせて取り出せばよい。
又、本実施形態の掃除具１も、上部開口部の幅が広い開渠型の排水用ブロック内の清掃や、その他の清掃作業等においても汎用的に使用でき、又、排土板３も前記実施形態と同様、袋体１５の開口縁部１５ａが装着可能な枠形状であればよいし、更に又、袋体１５は過度な膨らみや変形が防止されてその外形が偏平状等所望形状に保持されるべく、それ自体に芯材を縫製する等、適宜手段が施されて形成されてもよいし、棒状体２の外面に把手等として使用する横棒を設けてもよい。【００４７】  尚、上記各実施形態において、回動可能な排土板３の固定に際して、可動棒４を使用する以外の適宜方法、機構等が採用されて、排土板３が略垂直状態又は傾斜状態で固定されてもよいし、回動不能な排土板３の固定に際しても、上記以外の適宜方法が採用されてもよい。
又、棒状体２、可動棒４、支軸５及び横棒６の具体的な形状や、排土板３の形状、構造及び棒状体２との交差角度α、或いは支持体９、伸縮ばね１０、摺動棒１１、回転止め１２、受止部１３、保護容器１４、袋体１５等の形状、構造も上記実施形態に限定されることなく、その目的に応じた適宜形状、構造となされればよい。
即ち、本発明の掃除具１の形状、構造等は、必ずしも上記実施形態に限定されることなく、本発明の意図する範囲内で種々の設計の変更が可能である。
【図面の簡単な説明】
【００４８】
【図１】  本発明の掃除具の一実施の形態を示し、（イ）は正面図、（ロ）は側面図、（ハ）は底面図、（ニ）は（イ）のＧ−Ｇ拡大断面図。
【図２】  （イ）は図１の掃除具の一部縦断面図、（ロ）は（イ）のＡ部拡大図、（ハ）は（イ）のＢ部拡大図。
【図３】  （イ）は図１（イ）のＣ部拡大図、（ロ）は（イ）のＤ−Ｄ断面図、（ハ）は（イ）のＥ−Ｅ断面図、（ニ）は（イ）のＦ−Ｆ断面図。
【図４】  （イ）は図１の掃除具における排土板の回動途中を示す要部断面図、（ロ）は同排土板の傾斜状態を示す要部断面図、（ハ）は同排土板の固定状態を示す要部断面図。
【図５】  図１の掃除具の使用状態を示す断面図。
【図６】  （イ）は図１の掃除具の使用状態を示す断面図、（ロ）は（イ）の側面視による断面図。
【図７】  本発明の掃除具の他の実施の形態を示し、（イ）は排土板の略垂直状固定状態を示す要部断面図、（ロ）及び（ハ）は同排土板の回動時の状態を示す要部断面図、（ニ）は同排土板の傾斜状固定状態を示す要部断面図。
【図８】  本発明の掃除具の他の実施の形態を示し、（イ）は正面図、（ロ）は側面図、（ハ）は（イ）の一部省略Ｈ−Ｈ拡大断面図、（ニ）は（イ）のＪ−Ｊ拡大端面図。
【図９】  （イ）は図８の掃除具における排土板の略垂直状固定状態を示す一部拡大側面図、（ロ）は（イ）の一部省略Ｋ−Ｋ断面図、（ハ）は同排土板の回動傾斜状態を示す一部拡大側面図、（ニ）は（ハ）の一部省略Ｘ−Ｘ矢視図、（ホ）は（ハ）の一部省略Ｌ−Ｌ断面図、（ヘ）は同排土板の傾斜状固定状態を示す一部拡大側面図、（ト）は（ヘ）の一部省略Ｍ−Ｍ断面図。
【図１０】  図８の掃除具の使用状態を示す断面図。
【図１１】  （イ）は図８の掃除具の使用状態を示す断面図、（ロ）は（イ）の側面視による断面図。
【図１２】  本発明の掃除具の他の実施の形態を示し、（イ）は一部正面図、（ロ）は一部側面図、（ハ）は（イ）のＮ−Ｎ断面図、（ニ）は（ロ）の一部省略Ｏ−Ｏ拡大断面図、（ホ）は（ハ）における排土板の回動傾斜状態を示す断面図、（ヘ）は同排土板の傾斜状固定状態を示す断面図。
【図１３】  本発明の掃除具の他の実施の形態を示し、（イ）は排土板の略垂直状固定状態を示す一部正面図、（ロ）は（イ）のＰ−Ｐ断面図、（ハ）は（イ）のＱ−Ｑ断面図、（ニ）は（ロ）における排土板の回動傾斜状態を示す断面図、（ホ）は同排土板の傾斜状固定状態を示す断面図。
【図１４】  本発明の掃除具の他の実施の形態を示し、（イ）は排土板の略垂直状固定状態を示す一部正面図、（ロ）は（イ）のＲ−Ｒ断面図、（ハ）は（ロ）における排土板の回動傾斜状態を示す断面図、（ニ）は同排土板の傾斜状固定状態を示す断面図。
【図１５】  本発明の掃除具の他の実施の形態を示し、（イ）は正面図、（ロ）は側面図、（ハ）は保護容器の回動状態を示す一部側面図、（ニ）は（イ）のＳ−Ｓ断面図、（ホ）は（イ）のＴ−Ｔ拡大断面図。
【図１６】  （イ）は図１５の掃除具の使用状態を示す断面図、（ロ）は（イ）の側面視による断面図。
【図１７】  本発明の掃除具の他の実施の形態を示し、（イ）は正面図、（ロ）は側面図、（ハ）は清掃時の状態を示す一部側面図、（ニ）は（イ）のＵ−Ｕ拡大断面図。
【符号の説明】
【００４９】  １  掃除具
２  棒状体
２ａ  本体棒
２ｂ  把手棒
３  排土板
３ａ  板面
３ｃ  収納部
３ｄ  掻き板部
３ｅ，３ｆ，１４ａ  開口部
４  可動部
４ｃ  操作レバー
５  支軸
６  横棒
７，７′  取付部
８  排水用ブロック
９  支持体
１０  伸縮ばね
１１  摺動棒
１２  回転止め
１３  受止部
１４  保護容器
１５  袋体
１５ａ  開口縁部
【図１】
2005264697.tif 000003
【図２】
2005264697.tif 000004
【図３】
2005264697.tif 000005
【図４】
2005264697.tif 000006
【図５】
2005264697.tif 000007
【図６】
2005264697.tif 000008
【図７】
2005264697.tif 000009
【図８】
2005264697.tif 000010
【図９】
2005264697.tif 000011
【図１０】
2005264697.tif 000012
【図１１】
2005264697.tif 000013
【図１２】
2005264697.tif 000014
【図１３】
2005264697.tif 000015
【図１４】
2005264697.tif 000016
【図１５】
2005264697.tif 000017
【図１６】
2005264697.tif 000018
【図１７】
2005264697.tif 000019